(57)【特許請求の範囲】
【請求項１】
携帯電話事業者において書込み用端末機を用いて、携帯情報通信端末の画面に表示され携帯電話事業者が提供する上位階層の情報取り出し用初期メニューに、ユーザ所望の下位階層に存在する情報を登録する初期メニュー登録方法であって、
前記書込み用端末機と前記携帯情報通信端末とを接続するステップと、
前記書込み用端末機が、書込み用端末機の画面に前記携帯情報通信端末の初期メニューとして選択可能な前記下位階層に存在する情報を表示するステップと、
前記書込み用端末機が画面に表示した前記下位階層に存在する情報の中からユーザにより選択された前記下位階層に存在する情報を書込み用端末機に記憶するステップと、
前記書込み用端末機が前記記憶した情報に基づいて前記携帯情報通信端末に情報書込みコマンドを出力し、前記携帯情報通信端末のＣＰＵは前記情報書込みコマンドを受けて内部メモリに情報を書き込むことにより初期メニューを登録するステップを有することを特徴とする初期メニュー登録方法。
【請求項２】
前記ＣＰＵが内部メモリに書き込む情報は情報提供業者のサイトアドレスであることを特徴とする請求項１記載の初期メニュー登録方法。
【請求項３】
前記書込み用端末機は画面に表示した情報の中からユーザにより複数選択された情報を表示順序の指定と共に書込み用端末機に記憶し、前記書込み用端末機は記憶した複数の情報をその表示順序の指定と共に情報書込みコマンドとして携帯情報通信端末に出力し、前記携帯情報通信端末のＣＰＵは前記情報書込みコマンドを受けて内部メモリに表示順序の指定に従って複数の初期メニューを表示するように登録することを特徴とする請求項１または２記載の初期メニュー登録方法。
【発明の詳細な説明】
【０００１】
【発明の属する技術分野】
本発明は、携帯情報通信端末の初期メニュー登録、特に、通信機能を備えた携帯情報端末において、ユーザが文字情報や画像・音楽を取り出すための初期メニュー登録に関する。
【０００２】
【従来の技術】
今や爆発的に普及してきた携帯電話機は、本来の「話す」ための携帯電話機から、「使う」機能を備えた携帯型情報通信端末として劇的な変身を遂げつつある。すなわち、ユーザは携帯電話機から、携帯電話事業者（キャリアという）が提供するオフィシャルコンテンツにアクセスして、最新の情報やニュースを検索したり、音楽やゲームで楽しんだりできる。更には、インターネットに接続して、世界中のオープンコンテンツにもアクセスできる。
【０００３】
このような情報提供サービスは、携帯電話機が普く使用される性格の商品であることから、キャリアは、当然ながら誰もが必要とする公共性の高い情報を初期メニューとして準備することになる。そのような初期メニューは、例えば、ニュース＆天気，生活便利情報，エンターテイメント，占い情報等を羅列した切り口となる。しかし、特定のユーザが必要とするのは、そのユーザに特化した情報である筈である。いわく、特定の会社の株式情報，読売ジャイアンツ軍の詳しい情報，特定のゴルフコースのグリーン情報，特定地域の天気予報といったものである。このような詳細情報も、キャリア等が提供する情報選択メニューに登録されているものの、一般には、それは初期メニューから何層も掘り下げた深い階層に存在することになる。
【０００４】
従って、ユーザは、自分の知りたい特定の情報を検索するには、携帯電話機のボタンを何度も押し、場合によっては携帯電話機のボタンでデータを入力して、ようやく所望の情報に辿りつくことになるというのが従来の実体である。例えば、神奈川県川崎市の明日の天気予報を知ろうとするときは、先ず、文字情報提供サービスを受けるとの指示をし、初期メニュー（メインメニュー）を表示させてその画面からニュース＆天気を選ぶ。すると、ニュースヘッドライン，株価ディレイ情報，スキー場情報，今日明日の天気，周間天気等を一覧表示したメニューが表示される。その画面から、今日明日の天気を選ぶと、都道府県名もしくは市外局番の入力を求められ、それを入力すると初めて所望の神奈川県川崎市の明日の天気予報を知ることができるようになる。
【０００５】
なお、ユーザ固有の詳細情報を知るには、上述のようにキャリアが用意した情報をメニューから選んでいく方法の他に、その情報を特定するためのキーワードやURL(Uniform Resource Locator)を携帯電話機のボタンで入力して、インターネットにて取り出す方法も知られている。
【０００６】
【発明が解決しようとする課題】
しかしながら、携帯電話機は携帯に便利なコンパクト性と引き換えに操作性を犠牲にしている。ボタンは小さく、画面は狭い。従って、上述した従来の携帯電話機のように、ユーザが自分の知りたい情報にアクセスするのに、何度もボタンを押下して指示し、その結果をその都度画面で確認しながら初期メニューから、または必ずしも容易とはいえないインターネット接続により、所望の情報をアクセスするとなると、操作上、ユーザには少なからずストレスがかかってくるという第１の問題点がある。
【０００７】
また、あるメニュー画面からその下のメニュー画面に遷移するには、ユーザからの指示に沿って携帯電話機からサービスセンターにアクセスしメニュー画面情報を取り寄せる必要があるが、それには相当の時間を要するので、ユーザはその間の待ち時間に耐えなければならないということからストレスがかかってくるという第２の問題点もある。これは、インターネット接続の場合にも同様である。
【０００８】
更に、以上のような問題から、ユーザには情報提供サービスに対する無意識的な障壁が存在し、ひいては携帯電話機の購入意欲を減退させている。したがって、ユーザが利用する情報提供サービスはキャリアが選定した公共性の高いサイトに限られており、各人の趣味・娯楽・ビジネスに特化した情報を手軽に得たいというユーザの要望は叶えられず、また、商業サイトはこのような潜在的な需要を損失しているという第３の問題点がある。
【０００９】
本発明は、このような問題点に鑑みなされたものであって、その第１の目的は、ユーザが所望の情報をストレスを伴うことなく入手できる初期メニュー登録方法および携帯情報通信端末を提供することにある。
【００１０】
また、本発明の第２の目的は、潜在的に存在するビジネスチャンスを活かすことのできる初期メニュー登録方法および携帯情報通信端末を提供することにある。
【００１１】
【課題を解決するための手段】
本発明の初期メニュー登録方法は、携帯電話事業者において書込み用端末機を用いて携帯情報通信端末の画面に表示される情報取出し用初期メニューにユーザ所望の情報を登録する初期メニュー登録方法であって、前記書込み用端末機と前記携帯情報通信端末とを接続するステップと、前記書込み用端末機が、書込み用端末機の画面に前記携帯情報通信端末の初期メニューとして選択可能な情報を表示するステップと、前記書込み用端末機が画面に表示した情報の中からユーザにより選択された情報を書込み用端末機に記憶するステップと、前記書込み用端末機が前記記憶した情報に基づいて前記携帯情報通信端末に情報書込みコマンドを出力し、前記携帯情報通信端末のＣＰＵは前記情報書込みコマンドを受けて内部メモリに情報を書き込むことにより初期メニューを登録するステップを有することを特徴とする。
【００１２】
なお、前記ＣＰＵが内部メモリに書き込む情報は情報提供業者のサイトアドレスであることが望ましい。
【００１３】
また、前記書込み用端末機は画面に表示した情報の中からユーザにより複数選択された情報を表示順序の指定と共に書込み用端末機に記憶し、前記書込み用端末機は記憶した複数の情報をその表示順序の指定と共に情報書込みコマンドとして携帯情報通信端末に出力し、前記携帯情報通信端末のＣＰＵは前記情報書込みコマンドを受けて内部メモリに表示順序の指定に従って複数の初期メニューを表示するように登録することが望ましい。
【００１６】
【発明の実施の形態】
次に、本発明の実施の形態について図面を参照して説明する。
【００１７】
先ず、本発明の概念を図１により具体的に説明する。本発明は、キャリアが提供している情報メニューの中の階層の下の方にある趣味・娯楽に特化した情報や、キャリア以外の情報提供業者が提供していてインターネットにてアクセスできる情報を携帯電話機から一発アクセスできるようにするものである。図１では、キャリアが提供している情報メニューの具体例として、公共性の高い、モバイルバンキング，チケットサービス，スポーツ・アウトドアの各情報と、趣味・娯楽に特化した巨人ファンマニア情報，釣り穴場解禁情報を例示している。また、キャリア以外の情報提供業者が提供している情報として、株大儲け情報，競馬大穴情報，ゴルフコース情報を例示している。
【００１８】
携帯電話機メーカーは、携帯電話機の初期メニューに契約したサイト、例えば、釣り穴場解禁情報とゴルフコース情報を登録する。その際、携帯電話機メーカーはサイトから登録料をもらい、その分だけキャリアに廉く携帯電話機を販売することができる。また、このようなサイトの登録は、キャリアにおいて、ユーザ各人の初期メニューにユーザの好きなサイトを登録するようにしてもよい。この場合は、キャリアはサイト登録料分だけユーザに廉く携帯電話機を販売することができる。
【００１９】
以上のようなサイト登録をされた携帯電話機からは、これまでは携帯電話機の情報メニューの下方にあった釣り穴場解禁情報や、インターネットにてアクセスしていたゴルフコース情報を一発アクセスできるようになる。
【００２０】
次に、本発明の初期メニュー登録方法の第１実施例について説明する。携帯電話機販売店は、情報提供業者のサイトと情報提供の契約を結んで、契約を結んだサイト提供の情報をリストアップした情報メニューを作成しておく。そして、携帯電話機販売店はユーザに携帯電話機を販売するときに情報メニューを提示する。携帯電話機を購入したユーザが、情報取出し用初期メニュー（以下、「初期メニュー」と記す）に加えたい所望の情報を情報メニューの中から選んだときには、携帯電話機販売店がその情報を携帯電話機の初期メニューに登録する。登録対象となる情報には、キャリアが持つ情報であって、そのキャリアの端末（実際にはパソコンが使用されよう）でないと閲覧できない情報の他、ＵＲＬを入力することによりどのパソコンからも閲覧できる情報も含まれる。
【００２１】
図２は、本発明の初期メニュー登録方法の第１実施例を実行するための機器構成例を示す。図２に示す機器構成による初期メニューの登録は、キャリアにおいて行うものである。所望の情報を含んだメニュー（以下、「所望メニュー」と記す）の一発表示を望むユーザは、携帯電話機１をキャリアの電話機販売店に持ち込んで、所望メニューを初期メニューとして登録してもらう。電話機販売店においては、図３に示すように、その携帯電話機１の手前側面の蓋を開け、そこに備わっている１６芯コネクタ１０にパソコン２からのケーブル３を接続する。ケーブル３の先端には、１６芯コネクタ１０と接続されるコネクタが具備されている。１６芯コネクタ１０は携帯電話機１のＣＰＵ１１に接続されており、パソコン２から入力した情報は、ケーブル３および１６芯コネクタ１０を経由して、ＣＰＵ１１によりメモリ１２に書き込むことができる。メモリ１２は、携帯電話機１の画面に表示して情報提供サービスを受けるための初期メニューの情報を記憶している。
【００２２】
電話機販売店は、図２に示したように、携帯電話機１とパソコン２をケーブル３で接続した後に、パソコン２に初期メニュー書込みソフトを立ち上げる。図４は初期メニュー書込みソフトのフローチャートを示し、図５はその場合の携帯電話機１およびパソコン２の画面の遷移を示す。
【００２３】
初期メニュー書込みソフトにおいては、先ず、携帯電話機１の初期メニュー表示コマンドを出力する（図４のステップＳ１）。この結果、ＣＰＵ１１はメモリ１２に記憶している携帯電話機１の初期メニューの情報を読み出し、図５に示すように初期メニュー画面Ｋ１を表示する。この初期メニュー画面Ｋ１には、例えば、チケット予約，モバイルバンキング，トラベル予約，新着ニュース，通信販売等、公共性の高い情報が表示される。しかし、当該ユーザが趣味とする釣りに関する情報、特に釣り穴場情報は、このメニューには無い。そこで、ユーザは、釣り穴場情報を初期メニューに加えることによって、一発表示させたいことを望んでいるものとする。
【００２４】
一方、パソコン２の画面には、例えば、図５のＰ１のような多数の情報を網羅したメニュー画面が表示される（図４のステップＳ２）。図６は、このメニュー画面の一例を示す。このメニュー画面上の各情報は、上述の携帯電話機１における初期メニューの各情報と同様に、これらが書かれているサービスセンタのファイルにリンクした文字から成る。より具体的には、サービスセンタのファイルのアドレスを示す文字ということになる。
【００２５】
電話機販売店は、パンフレット（紙面）、またはパソコン２の案内画面Ｐ１によって、ユーザにメニューの各情報およびその詳細情報の内容を説明ないしは案内をする。ユーザは、このメニュー画面Ｐ１の内から、自分の携帯電話機１の初期メニュー画面に登録したい釣り穴場情報を選択し電話機販売店に伝える。また、メニュー画面Ｐ１に登録されていない釣り穴場情報をパンフレットから選択したり、更にはパンフレットにも記載されていない釣り穴場情報を指定したりすることもできる。ただし、この場合はその情報サイトは、電話機販売店が契約に値するかどうかの判断（不適切な内容はないかの判断）が必要となる。また、初期メニューにおける表示順序も指定できる。電話機販売店は、ユーザが選択ないし指定した釣り穴場情報をパソコン２に入力すると（図４のステップＳ４）、パソコン２はそれを記憶する（図４のステップＳ５）。
【００２６】
ステップＳ４およびステップＳ５は、書込み指示があるまで（図４のステップＳ６）、または終了指示があるまで（図４のステップＳ３）繰り返される。これは、ユーザは複数の情報を初期メニューに一発表示できるようにしたものである。所望の情報の全入力が終了し、書込指示を行うと（図４のステップＳ６）、パソコン２からは、記憶した全情報をその表示順序と共に携帯電話機１への書き込むための情報書込コマンドを出力する（図４のステップＳ７）。
【００２７】
上述の書込み指示された釣り穴場情報を伴ったこの情報書込コマンドは、ケーブル３と１６芯コネクタ１０を経由してＣＰＵ１１に伝わる。ＣＰＵ１１は、釣り穴場情報をメモリ１２に書き込む。この場合、釣り穴場情報の初期メニューにおける表示順序まで指定されているときは、初期メニューを構成する各情報の順序を調整して書き込む。また、書込み指示された情報が複数である場合には、その数だけメモリ１２への書込みが繰り返される。
【００２８】
この間、携帯電話機１の画面Ｋ２(図５)には「書込み中」、パソコン２の画面Ｐ２（図５）には「携帯電話機に書込み中」との表示がされる。携帯電話機１では、パソコン２に入力された釣り穴場情報の書込みが終了すると、パソコン２の画面Ｐ３(図５)には「書込み終了」、携帯電話機１の画面Ｋ３（図５）にはチケット予約，モバイルバンキングに続いて、ユーザ所望の釣り穴場情報が表示されることになる。これは、釣り穴場情報の表示順序として３番目という指定がされたからである。特別な指定がされないときには、最後に表示される。電話機販売店は、初期メニュー書込みソフトを終了させ、電源を切り、ケーブル３を１６芯コネクタ１０から引き抜いて蓋をし、携帯電話機１をユーザに引き渡す。
【００２９】
以上の結果、ユーザは、以後、携帯電話機１により情報提供サービスを受けるときには、初期メニューを表示するためのプログラムがメモリ１２から引っ張ってくるデータの中に釣り穴場情報が追加されて、初期メニュー画面Ｋ１に一発表示されるので、簡単、かつ早急に必要な情報を得ることができるようになる。
【００３０】
本実施例では、キャリアは、ユーザへの携帯電話機の販売時に、契約しているサイトの紹介を行い、ユーザ所望の情報を初期メニューにインストールしたことにより、その情報を提供するサイトはキャリアにサイト登録料を支払う。そして、キャリアはそのサイト登録料分だけ携帯電話機を廉くしてユーザに販売できるので、携帯電話機の販売促進を図ることができるようになる。また、ユーザもこのような便利なサービスを享受できることを知れば、情報提供サービスをより手軽に利用しようとするため、ユーザの利便性が向上すると共に、サイトの収入増に繋がることになる。
【００３１】
以上の実施例は、キャリアがユーザ所望の情報を初期メニューに追加するというものであるが、第２の実施例として、携帯電話機メーカーがユーザ所望の情報を初期メニューに追加することを提案する。この場合には、携帯情報通信端末メーカーは情報提供業者のサイトと情報提供の契約を結ぶ。登録対象となる情報は、ＵＲＬを入力することによりどのパソコンからも閲覧できる情報がメインとなろう。そして、携帯電話機の開発時に、ユーザに人気のありそうな、ないしはユーザが必要としそうな情報提供会社のサイトを検討して、そのようなサイトと契約し、情報を初期メニューにプリインストールする。具体的には、メモリ１２にその情報のＵＲＬを書き込んでおく。
【００３２】
この場合の一具体例として、プロ野球球団・阪神タイガースの情報（試合履歴，試合日程，選手情報等）を携帯電話機の初期メニューに登録し、「阪神ファン携帯電話機」と銘打って、虎柄（黒と黄色のシマシマモ模様）の筐体カラーリングにて発売するといったことが考えられる。熱狂的なファンの多いことで知られる阪神タイガースの特異体質をビジネスチャンスに繋げるのである。
【００３３】
この第２の実施例によると、ユーザの嗜好傾向と携帯電話機メーカーの予測とで、食い違いが発生する可能性はあるものの、ユーザは所望の情報を初期メニューに追加するためにキャリアに出向く必要はなくなるというメリットが得られる。
【００３４】
この実施例では、情報提供会社は携帯電話機メーカーにサイト登録料を支払う。この結果、携帯電話機メーカーはキャリアに携帯電話機を認可するときに、サイト登録料分だけ廉く販売することができる。その他の効果は、第１の実施例の場合と同様である。
【００３５】
次に、第３の実施例として、ユーザ自身が所望の情報を初期メニューに追加する方法を提案する。この実施例においても、携帯電話機販売店は、情報提供業者のサイトと情報提供の契約を結んで、契約を結んだサイト提供の情報をリストアップした情報メニューを作成しておく。そして、携帯電話機販売店はユーザに携帯電話機を販売するときに情報メニューを提示する。ここまでは、第１の実施例と同様である。
【００３６】
携帯電話機を購入したユーザが、情報取出し用初期メニューに加えたい所望の情報を情報メニューの中から選んだユーザは、携帯電話機によりインターネットに接続し、所望の情報を提供している情報提供会社にアクセスして、登録手続をする。そして、所望の情報が存在するメニューを携帯電話機に送信してもらう。所望の情報は、そのメニューの深い階層に存在することがあるが、ユーザ自らが携帯電話機を操作（ボタン操作）して、自己の携帯電話機の初期メニューに追加するのである。この結果、ユーザは初期メニューから所望の情報に直ぐにアクセスできるようになる。
【００３７】
この方法によれば、ユーザは自分の好きな時に自由に登録および登録抹消が行えるというメリットがある。ユーザは情報提供会社に登録料を支払うが、その情報提供会社からキャリアに支払われ、キャリアは携帯電話機の基本料金もしくは通話料を低減してユーザに還元する。
【００３８】
以上の全ての実施例において、ユーザは情報を初期メニューに登録するときに、その情報の既定の表示を分かり易いものに変更できるようにしてもよい。例えば、「エンターテイメント」を子供のユーザでも意味の分かる「おんがく，えいが，スポーツなど」としたり、「天気」を米国人のユーザに通じる「WEATHER」としたりするのである。
【００３９】
また、以上の全ての実施例において、ユーザは初期メニューに登録した情報を音声によって取り出せるようにしてもよい。例えば、ユーザが「にゅーす」と発声すれば「ニュース」のサイト、「けいば」と言えば「競馬」のサイトにアクセスするといった具合である。この実施例は、ユーザが携帯電話機のボタン操作をすることができないような状況において有意義である。
【００４０】
更に、以上の全ての実施例においては、初期メニューに登録する情報は、情報提供会社が用意しているものに限られるが、ＧＰＳ（Global Positioning System：全地球測位システム）を利用して、ユーザの現在位置を携帯電話機の画面に地図や住所で表示させるための情報を初期メニューに追加するようにしてもよい。現在位置は、携帯電話機の現在位置に対する基地局から割り出すことになろう。
【００４１】
なお、以上の説明は携帯電話機について行ったが、本発明は携帯電話機に限定されることはなく、携帯電話機と同様に通信機能を備えた携帯情報端末であれば適用され得る。
【００４２】
【発明の効果】
本発明によれば、ユーザは、所望の嗜好的情報を初期メニューの中から選べばよくなるため、所望の情報を得るときに携帯情報通信端末の操作および情報取出しの待ち時間によるストレスから解放されるという第１の効果を得ることができる。
【００４３】
また、ユーザが所望の嗜好的情報を容易に得ることができるになるため、情報提供会社は潜在的に存在していたビジネスチャンスを活かすことができるようになるという第２の効果を得ることができる。
【図面の簡単な説明】
【図１】本発明の概念を示す図
【図２】本発明の第１の初期メニュー登録方法を実行するための機器構成例を示す図
【図３】携帯電話機の１６芯コネクタ部分を示す見取図
【図４】本発明の第１の初期メニュー登録方法を実行する初期メニュー書込みソフトのフローチャート
【図５】本発明の第１の初期メニュー登録方法実行中の画面遷移図
【図６】パソコンの画面に表示されるメニュー画面を例示する図
【符号の説明】
１      携帯電話機
２      パソコン
３      ケーブル
１０    １６芯コネクタ
１１    ＣＰＵ
１２    メモリ
【図１】
0003636644.tif 000002
【図２】
0003636644.tif 000003
【図３】
0003636644.tif 000004
【図４】
0003636644.tif 000005
【図５】
0003636644.tif 000006
【図６】
0003636644.tif 000007